(57)【特許請求の範囲】
【請求項１】
車両の運転者席前方に配置されたサブ表示部と、
前記運転者席と同乗者席との間に設けられたメイン表示部と、
複数の車載装置から表示要求される情報の優先順位を記憶する記憶部と、
前記車載装置から表示要求された情報のうち前記優先順位が最高の情報を前記サブ表示部によって表示させる制御部と
を備え、
前記サブ表示部は、
第１の表示部と、第２の表示部とがあり、
前記制御部は、
前記車両の方向指示器が作動中である場合、
前記第１の表示部および前記第２の表示部のうち前記方向指示器が指す方向に対応する方へ当該方向に対応する前記車両周辺の情報を表示させる
ことを特徴とする車載表示システム。
【請求項２】
前記制御部は、
前記サブ表示部によって表示中の情報よりも前記優先順位の高い情報が表示要求された場合、前記表示中の情報の表示先を前記サブ表示部から前記メイン表示部へ変更する
ことを特徴とする請求項１に記載の車載表示システム。
【請求項３】
前記制御部は、
前記サブ表示部によって表示中の情報と前記優先順位が等しい情報が表示要求された場合、前記表示中の情報の表示先を前記サブ表示部から前記メイン表示部へ変更し、当該表示要求された情報を前記サブ表示部によって表示させる
ことを特徴とする請求項１または請求項２に記載の車載表示システム。
【請求項４】
前記制御部は、
前記サブ表示部による情報の表示が終了した場合、前記メイン表示部へ表示先が変更された情報の表示先を前記メイン表示部から前記サブ表示部へ変更する
ことを特徴とする請求項２または請求項３に記載の車載表示システム。
【請求項５】
前記第１の表示部は、
前記方向指示器が非作動中に、前記車両の走行に関する走行系情報を表示し、
前記第２の表示部は、
前記方向指示器が非作動中に、前記走行系情報以外の非走行系情報を表示する
ことを特徴とする請求項１〜４のいずれか一つに記載の車載表示システム。
【請求項６】
前記制御部は、
前記第１の表示部および前記第２の表示部のうち前記車両周辺の情報を表示させない方に対して表示規制を行う
ことを特徴とする請求項１〜５のいずれか一つに記載の車載表示システム。
【請求項７】
前記サブ表示部は、
表示領域が前記メイン表示部の表示領域よりも小さい
ことを特徴とする請求項１〜６のいずれか一つに記載の車載表示システム。
【発明の詳細な説明】
【技術分野】
【０００１】
開示の実施形態は、車載表示システムに関する。
【背景技術】
【０００２】
従来、車両の運転に役立つ情報や車両での移動を快適にするための情報を車両に設けられた表示装置によって表示させて運転者や同乗者へ提供する車載表示システムがある。
【０００３】
かかる車載表示システムでは、運転者や同乗者へ提供する情報が多様化した場合に、一つの表示装置によって全ての情報を表示することが困難となる。このため、近年の車載表示システムでは、車両に設けられた複数の表示装置によって情報の表示が行われている（例えば、特許文献１参照）。
【先行技術文献】
【特許文献】
【０００４】
【特許文献１】特開２００６−０９６２４５号公報
【発明の概要】
【発明が解決しようとする課題】
【０００５】
しかしながら、従来の車載表示システムでは、車両の運転者へ提供される情報がさらに多様化した場合に、車両の運転に役立つ情報を運転者へ分かりやすく提供することができないという問題が生じる。
【０００６】
実施形態の一態様は、上記に鑑みてなされたものであって、車両の運転者へ提供される情報が多様化した場合であっても運転に役立つ情報を運転者へ分かりやすく提供することができる車載表示システムを提供することを目的とする。
【課題を解決するための手段】
【０００７】
実施形態の一態様に係る車載表示システムは、サブ表示部と、メイン表示部と、記憶部と、制御部とを備える。サブ表示部は、車両の運転者席前方に配置される。前記メイン表示部は、前記運転者席と同乗者席との間に設けられる。前記記憶部は、複数の車載装置から表示要求される情報の優先順位を記憶する。前記制御部は、前記車載装置から表示要求された情報のうち前記優先順位が最高の情報を前記サブ表示部によって表示させる。
【発明の効果】
【０００８】
実施形態の一態様によれば、車両の運転者へ提供される情報が多様化した場合であっても運転に役立つ情報を運転者へ分かりやすく提供することができる車載表示システムを提供することができる。
【図面の簡単な説明】
【０００９】
【図１】図１は、実施形態に係る車載表示システムによる情報の表示方法を示す説明図である。
【図２】図２は、実施形態に係る車載表示システムの構成の一例を示す説明図である。
【図３】図３は、実施形態に係るＨＭＩ系制御部の一部の構成の一例を示す説明図である。
【図４】図４は、実施形態に係る優先順位情報の一例を示す説明図である。
【図５】図５は、実施形態に係る表示中情報の一例を示す説明図である。
【図６】図６は、実施形態に係る表示切替部による表示の切替態様の一例を示す説明図である。
【図７】図７は、実施形態に係る表示切替部による表示の切替態様の一例を示す説明図である。
【図８】図８は、実施形態に係るＨＭＩ系制御部が実行する処理を示すフローチャートである。
【図９】図９は、実施形態に係るＨＭＩ系制御部が実行する処理を示すフローチャートである。
【図１０】図１０は、実施形態に係るＨＭＩ系制御部が実行する処理を示すフローチャートである。
【図１１】図１１は、実施形態の変形例に係る表示態様の一例を示す説明図である。
【図１２】図１２は、変形例に係るディスプレイの構成を示す説明図である。
【発明を実施するための形態】
【００１０】
以下、添付図面を参照して、本願の開示する車載表示システムの実施形態を詳細に説明する。なお、以下に示す実施形態によりこの発明が限定されるものではない。図１は、実施形態に係る車載表示システムによる情報の表示方法を示す説明図である。
【００１１】
図１に示すように、実施形態に係る車載表示システムは、ダッシュボードの中央に設けられたメインディスプレイ５１と、インストルメントパネル内に設けられた２つのサブディスプレイ５２および５３とを備える。
【００１２】
以下、スピードメータおよびタコメータ等から構成されるメータパネルの左側に設けられたサブディスプレイ５２を左サブディスプレイ５２と称し、メータパネルの右側に設けられたサブディスプレイ５３を右サブディスプレイ５３と称する。なお、左サブディスプレイ５２および右サブディスプレイ５３を総称する場合には、単にサブディスプレイと記載する。
【００１３】
メインディスプレイ５１は、例えば、液晶表示装置であり、車両の運転者（以下、単に「運転者」と記載する）および同乗者に対して各種情報を表示する共用の表示部であり、運転席と助手席間に位置するセンターコンソールに設置されている。
【００１４】
また、左サブディスプレイ５２および右サブディスプレイ５３は、運転者にとって見易い位置（運転者の通常の視線方向（車両前方方向）から視線移動が少ない方向）に設置された、例えば、メインディスプレイ５１よりも小型の液晶表示装置であり、運転者に対して各種情報を表示する主に運転者用の表示部である。
【００１５】
さらに、実施形態に係る車載表示システムは、車両に設けられた複数の車載装置から表示要求される情報の優先順位を記憶する記憶部と、表示要求された情報の表示先を切替える制御部とを備える。ここで、記憶部が記憶する優先順位は、運転に関する重要性や利便性の高さを示す。
【００１６】
なお、車載装置から表示要求される情報と優先順位との対応関係の一例については、図４を用いて後述する。また、かかる車載表示システムの具体的構成の一例については、図２を用いて後述する。
【００１７】
かかる車載表示システムでは、制御部が車載装置から表示要求された情報のうち、記憶部によって記憶されている優先順位が最高の情報を左サブディスプレイ５２または右サブディスプレイ５３によって表示させる。
【００１８】
このように、車載表示システムでは、運転者が見易い位置（通常の視線方向に近い方向）にあるサブディスプレイによって優先順位が最高の情報を表示させるので、運転者へ提供される情報が多様化した場合であっても運転に役立つ情報を運転者へ分かりやすく提供することができる。
【００１９】
また、制御部は、左サブディスプレイ５２または右サブディスプレイ５３によって表示中の情報よりも優先順位の高い情報が新たに表示要求された場合、新たに表示要求された情報を左サブディスプレイ５２または右サブディスプレイ５３へ割込表示させる。
【００２０】
これにより、実施形態に係る車載表示システムでは、車両の運転者へ提供される情報が多様化しても、運転に関する重要性や利便性の高い情報については運転者が見易い位置にあるサブディスプレイへ割込表示させて運転者へ分かりやすく提供することができる。
【００２１】
また、実施形態に係る車載表示システムでは、サブディスプレイとして、メインディスプレイ５１よりも表示領域が小さな表示装置を採用した。これにより、実施形態に係る車載表示システムでは、運転者へ提供すべき重要な情報等をインストルメントパネル内という限られたスペースに設けられたサブディスプレイによって分かりやすく提供することができる。
【００２２】
また、実施形態に係る車載表示システムの制御部は、左サブディスプレイ５２または右サブディスプレイ５３へ割込表示させる場合、それまで左サブディスプレイ５２または右サブディスプレイ５３で表示されていた情報をメインディスプレイ５１へ表示させる。
【００２３】
すなわち、制御部は、左サブディスプレイ５２または右サブディスプレイ５３に表示中の情報より優先順位の高い情報が表示要求された場合、表示中の情報の表示先を左サブディスプレイ５２または右サブディスプレイ５３からメインディスプレイ５１へ変更する。
【００２４】
これにより、運転者は、割込表示の前に左サブディスプレイ５２または右サブディスプレイ５３によって表示されていた情報を必要とする場合、メインディスプレイ５１から必要な情報の提供を受けることができる。
【００２５】
このとき、運転者は、サブディスプレイよりも遠い位置に設けられたメインディスプレイ５１から情報の提供を受けることとなるが、メインディスプレイ５１の表示領域がサブディスプレイよりも大きいため、不自由なく情報の提供を受けることができる。
【００２６】
次に、図２を参照し、実施形態に係る車載表示システムの構成について説明する。図２は、実施形態に係る車載表示システム１の構成の一例を示す説明図である。図２に示すように、車載表示システム１は、ＨＭＩ（Human  Machine  Interface）系制御部１０、走行系制御部２０、エンターテインメント（以下、略して「エンタメ」と記載する）系制御部３０、表示処理部４０を備える。
【００２７】
さらに、車載表示システム１は、メインディスプレイ５１、左サブディスプレイ５２、右サブディスプレイ５３、スイッチ６１、タッチパネル６２を備える。ＨＭＩ系制御部１０は、車両の運転者および同乗者と車両に設けられた各種車載装置との間で行われる情報のやり取りを仲介する、つまり操作入力、表示制御等を行う処理部である。
【００２８】
かかるＨＭＩ系制御部１０は、例えば、運転者や同乗者が行った各種操作の入力処理や運転者や同乗者に対する各種情報の提供制御、表示内容の切換制御等を行う。なお、ＨＭＩ系制御部１０の構成については、図３を参照して後述する。
【００２９】
かかるＨＭＩ系制御部１０には、スイッチ６１、タッチパネル６２、走行系制御部２０、エンタメ系制御部３０、表示処理部４０が接続される。スイッチ６１およびタッチパネル６２は、運転者や同乗者が車載装置を動作させるために操作する操作装置である。ここで、スイッチ６１は、車両のダッシュボードやハンドル等、車内における複数の箇所に適宜設けられる。また、タッチパネル６２は、メインディスプレイ５１の画像表示部に設けられる。
【００３０】
これらのスイッチ６１およびタッチパネル６２は、運転者や同乗者によって操作された場合に、操作に対応した操作信号をＨＭＩ系制御部１０へ出力する。ＨＩＭ系制御部１０は、スイッチ６１およびタッチパネル６２から入力される操作信号、および当該入力時の装置の状態（操作画面状態）に基づいて操作対象の車載装置を判別し、判別した車載装置に応じて走行系制御部２０またはエンタメ系制御部３０のいずれかへ制御信号を出力する。
【００３１】
走行系制御部２０は、車両の走行に関する制御を行う車載装置とＨＭＩ系制御部１０およびエンタメ系制御部３０との間で行われる情報のやり取りを仲介する処理部である。具体的には、走行系制御部２０には、ＨＭＩ系制御部１０、エンタメ系制御部３０、艤装系車載装置２１、走行系車載装置２２、エアコン制御部２３、Ｐ（パーキング）ブレーキ２５、車速センサ２６が接続される。そして、走行系制御部２０は、ＨＭＩ系制御部１０から入力される制御信号を制御対象の車載装置へ出力する。
【００３２】
ここで、艤装系車載装置２１には、例えば、方向指示器（以下、「ウインカ」と記載する）、ヘッドライト、テールライト、ワイパー、パワーウインドウ、オートロック装置等といった車載装置が含まれる。
【００３３】
また、走行系車載装置２２は、エンジンの動作を制御するＥＣＵ（Engine  Control  Unit）や、ＡＢＳ（Antilock  Brake  System）、ＡＣＣ（Automatic  Cruise  Control）ユニット等が含まれる。
【００３４】
なお、本実施形態におけるＥＣＵは、スイッチ６１の操作によって走行モードの切替えを行う機能を備える。例えば、ＥＣＵは、加速性能を重視したスポーツモードや省燃費を重視したエコ（エコロジーの略）モード等、複数種類の走行モードを切替可能に構成される。
【００３５】
また、エアコン制御部２３は、カーエアコンのエアコン駆動部２４へ接続されており、エアコン駆動部２４の動作を制御することによって車内の室温を調整する。なお、エアコン制御部２３は、走行系制御部２０ではなく、エンタメ系制御部３０によって制御されてもよい。
【００３６】
これら艤装系車載装置２１、走行系車載装置２２、エアコン制御部２３は、走行系制御部２０から入力される制御信号に基づいて動作するとともに、動作状態を示す状態信号を走行系制御部２０へ出力する。なお、Ｐブレーキ２５は、運転者等による操作状態を示す状態信号を走行系制御部２０へ出力する。また、車速センサ２６は、車両の走行速度を示す状態信号を走行系制御部２０へ出力する。
【００３７】
走行系制御部２０は、艤装系車載装置２１、走行系車載装置２２、エアコン制御部２３、Ｐブレーキ２５、車速センサ２６から入力される状態信号に基づき、状態信号を出力した車載装置の動作状態を判定する。さらに、走行系制御部２０は、判別した動作状態を画像によって運転者等へ報知する必要があるか否かを判定し、必要があると判定した場合、状態信号を割込みの表示要求としてＨＭＩ系制御部１０およびエンタメ系制御部３０へ出力する。
【００３８】
また、走行系制御部２０は、判別した動作状態を音声によって運転者へ報知する必要があるか否かを判定し、必要があると判定した場合、状態信号を割込みの音声出力要求として、ＨＭＩ系制御部１０およびエンタメ系制御部３０を介して音声処理部３２へ出力する。
【００３９】
ＨＭＩ系制御部１０は、走行系制御部２０から入力される表示要求に応じて、メインディスプレイ５１、左サブディスプレイ５２、右サブディスプレイ５３の中から車載装置の動作状態の表示先を選択し、選択結果に基づく制御信号（表示制御信号）を表示処理部４０へ出力する。
【００４０】
エンタメ系制御部３０は、車両の走行に関する制御を行う車載装置以外の車載装置とＨＭＩ系制御部１０および走行系制御部２０との間で行われる情報のやり取りを仲介する処理部である。
【００４１】
具体的には、エンタメ系制御部３０には、ＨＭＩ系制御部１０、走行系制御部２０、画像処理部３１、音声処理部３２、ナビゲーション部４１、ディスクプレーヤ部４２、ＤＴＶ（Digital  Tel  Vision）部４３、携帯機接続制御部４４が接続される。そして、エンタメ系制御部３０は、ＨＭＩ系制御部１０から入力される制御信号を制御対象の車載装置へ出力する。
【００４２】
また、画像処理部３１および音声処理部３２には、それぞれナビゲーション部４１、ディスクプレーヤ部４２、ＤＴＶ（Digital  Tel  Vision）部４３、携帯機接続制御部４４が接続される。さらに、音声処理部３２には、アンプ３３が接続され、アンプ３３には、スピーカ３４が接続される。
【００４３】
また、ナビゲーション部４１は、ＥＴＣ（Electronic  Toll  Collection System装置）７１、ＧＰＳ（Global  Positioning  System装置）７２、カメラ画像処理部７３が接続される。
【００４４】
かかるナビゲーション部４１は、エンタメ系制御部３０から入力される（各種操作部の操作に基づきエンタメ系制御部３０を介してＨＭＩ系制御部１０から入力される）制御信号に基づいて車両の目的地を設定し、ＧＰＳ７２から入力される車両の現在位置情報に基づいて目的地までの経路案内を行う車載装置である。かかるナビゲーション部４１は、経路案内に関する画像情報を画像処理部３１へ出力し、経路案内に関する音声情報を音声処理部３２へ出力する。
【００４５】
また、ナビゲーション部４１は、ＥＴＣ７１から入力される有料道路の通行料金を示す画像情報を画像処理部３１へ出力し、通行料金を示す音声情報を音声処理部３２へ出力する。さらに、ナビゲーション部４１は、エンタメ系制御部３０から入力される制御信号に基づいてカメラ画像処理部７３から入力される画像情報を画像処理部３１へ出力する。
【００４６】
ここで、カメラ７４は、車両の四隅に設けられ、車両周辺の画像を撮像する４台の撮像装置を含み、各撮像装置によって撮像した画像をカメラ画像処理部７３へ出力する。なお、撮像装置の台数は、４台に限定するものではない。
【００４７】
そして、カメラ画像処理部７３は、カメラ７４に含まれる複数の撮像装置から入力される車両周辺が撮像された画像情報を合成処理することにより、例えば、車両の右前方や、左前方、右後方、左後方等、車両周辺の状況を確認するのに適切な画像の画像情報を生成してナビゲーション部４１へ出力する。
【００４８】
また、ディスクプレーヤ部４２は、エンタメ系制御部３０から入力される制御信号に基づいて、ＣＤ（Compact  Disk）、ＤＶＤ（Digital  Versatile  Disk）、ブルーレイディスク等の記録媒体に記録された画像情報および音声情報を再生する装置である。かかるディスクプレーヤ部４２は、再生した画像情報を画像処理部３１へ出力し、音声情報を音声処理部３２へ出力する。
【００４９】
また、ＤＴＶ部４３は、エンタメ系制御部３０から入力される制御信号に基づいて地上デジタル放送を受信する受信装置である。かかるＤＴＶ部４３は、受信した地上デジタル放送の画像情報を画像処理部３１へ出力し、音声情報を音声処理部３２へ出力する。
【００５０】
携帯機接続制御部４４は、無線通信部７５と接続されており、エンタメ系制御部３０から入力される制御信号に基づいて無線通信部７５の通信プロトコルの設定等を行う処理部である。かかる携帯機接続制御部４４は、無線通信部７５によって例えばスマートホン８０等の携帯端末から画像情報および音声情報を受信する。そして、携帯機接続制御部４４は、受信した画像情報を画像処理部３１へ出力し、受信した音声情報を音声処理部３２へ出力する。
【００５１】
音声処理部３２は、ナビゲーション部４１、ディスクプレーヤ部４２、ＤＴＶ部４３、携帯機接続制御部４４から入力されるデジタルの音声情報に対して音質調整処理、音量調整処理等を施した後、アナログの音声信号へＤ／Ａ変換してアンプ３３へ出力する。音声処理部３２から出力された音声信号は、アンプ３３によって増幅されスピーカ３４から出音される。
【００５２】
また、音声処理部３２は、エンタメ系制御部３０を介して走行系制御部２０から割込みの音声出力要求が入力された場合、音声出力要求された車載装置の状態を示す音声信号を生成してアンプ３３へ出力する。
【００５３】
画像処理部３１は、ナビゲーション部４１、ディスクプレーヤ部４２、ＤＴＶ部４３、携帯機接続制御部４４から入力される画像信号（情報）に基づく画像に画質調整処理等を施して表示処理部４０へ出力する処理部である。
【００５４】
例えば、画像処理部３１はＤＴＶ部４３等のＴＶ画像やＤＶＤの映画画像等を対象にして画質等の調整処理を行う。なお、ディスプレイに表示するそれら以外の画像、例えば、押しボタンや文字表示、キャラクタ表示と言った装置の持つ幾つかの定型フォーマット的な表示（定型フォーマットに文字を表示するものも含む）のように、操作や情報伝達と言ったＨＭＩ的要素が強い画像については、ＨＭＩ系制御部１０で生成される。そして、ＨＭＩ系制御部１０は、生成した画像を表示処理部４０へ出力する。
【００５５】
表示処理部４０は、ＨＭＩ系制御部１０から入力される画像と、画像処理部３１から入力される画像とを合成する。なお、合成方式、例えば画面レイアウト等の制御信号（データ）はＨＭＩ系制御部１０から表示処理部４０に入力される。そして、表示処理部４０は、ＨＭＩ系制御部１０から入力される表示先の選択結果に基づいてメインディスプレイ５１、左サブディスプレイ５２、右サブディスプレイ５３の中から選択した表示先へ合成した画像を出力する。
【００５６】
なお、サブディスプレイとメインディスプレイ５１に表示される画像形式は異なる。つまり、画像の形式は、表示されるディスプレイに応じて異なる。例えばリストから項目を選択する操作画面では、メインディスプレイ５１に表示されるリストの項目数が１０個（それ以上の項目表示はスクロール表示）であるのに対して、サブディスプレイでの表示の場合は項目数が３個（それ以上の項目表示はスクロール表示で対応）と言った表示となる。
【００５７】
これらの画像は、表示処理部４０が、画像処理部３１およびＨＭＩ系制御部１０からの画像データとＨＭＩ系制御部１０からの画像形式の指示信号（データ）に基づき生成する。なお、メインディスプレイ５１、左サブディスプレイ５２、右サブディスプレイ５３については先に説明したため、ここでは、説明を省略する。
【００５８】
次に、図３を参照し、ＨＭＩ系制御部１０の構成について説明する。図３は、実施形態に係るＨＭＩ系制御部１０の一部の構成の一例を示す説明図である。図３に示すように、ＨＭＩ系制御部１０は、制御部１１と記憶部１２とを備える。
【００５９】
記憶部１２は、優先順位情報１２ａと表示中情報１２ｂを記憶する。なお、優先順位情報１２ａの一例については、図４を参照して後述し、表示中情報１２ｂの一例については、図５を参照して後述する。
【００６０】
また、制御部１１は、操作対象判別部１１ａと表示切替部１１ｂとを備える。操作対象判別部１１ａは、スイッチ６１またはタッチパネル６２から入力される操作信号、また各表示部に表示されている表示内容によって操作される操作対象の車載装置を判別する。そして、操作対象判別部１１ａは、判別した車載装置に応じて走行系制御部２０またはエンタメ系制御部３０へ制御信号を出力する処理部である。
【００６１】
なお、図３では、スイッチ６１またはタッチパネル６２から操作対象判別部１１ａへ操作信号が入力される信号線および操作対象判別部１１ａから走行系制御部２０またはエンタメ系制御部３０へ制御信号が出力される信号線をそれぞれ１本の信号線で示した。
【００６２】
表示切替部１１ｂは、記憶部１２によって記憶された優先順位情報１２ａおよび表示中情報１２ｂに基づき、走行系制御部２０またはエンタメ系制御部３０から入力される表示要求に応じて表示要求された情報の表示先を選択する処理部である。なお、図３では、走行系制御部２０またはエンタメ系制御部３０から表示切替部１１ｂへ表示要求が入力される信号線を１本の信号線で示した。
【００６３】
かかる表示切替部１１ｂは、情報の表示先に関する選択結果を表示処理部４０へ出力することによって情報の表示先を切替える。ここで、図４を参照して、優先順位情報１２ａの一例について説明し、図５を参照して表示中情報１２ｂの一例について説明する。図４は、実施形態に係る優先順位情報１２ａの一例を示す説明図であり、図５は、実施形態に係る表示中情報１２ｂの一例を示す説明図である。
【００６４】
図４に示すように、優先順位情報１２ａでは、表示要求される情報がエンタメ系制御部３０から表示要求される情報（以下、「エンタメ系情報」と記載する）と、走行系制御部２０から表示要求される情報（以下、「走行系情報」と記載する）とに大別される。
【００６５】
また、優先順位情報１２ａでは、エンタメ系情報および走行系情報における各情報のそれぞれに対して優先順位が対応付けられる。なお、かかる優先順位は、ユーザが任意に設定することができる。
【００６６】
ここで、例えば、エンタメ系情報の中で、カメラ７４によって撮像されたカメラ画像は、車両が右左折する際に運転における安全性の面で重要な情報である。また、エンタメ系情報の中で、ナビゲーション部４１によって出力される交差点拡大図は、車両が交差点に近付いた際に運転における利便性の面で重要な情報である。このように、運転における安全性や利便性の面で重要な情報に対しては優先順位として最高の「１」が対応付けられる。
【００６７】
一方、エンタメ系情報の中で、例えば、ディスクプレーヤ部４２によって再生中のトラック番号の情報等のオーディオ状態表示は、カメラ画像や交差点拡大図ほど重要性が高くない。このため、図４に示す例では、ユーザの設定により、オーディオ状態表示に対して優先順位として「１」よりも低い「２」が対応付けられている。なお、かかるオーディオ状態表示は、ユーザによる設定が為されない場合、デフォルトとして最下位の優先順位が対応付けられる。
【００６８】
また、走行系情報の中で、例えば、エンジンを冷却する冷却水の水温上昇を報知する水温上昇注意や、ガソリンの残量が少なくなったことを報知するガソリン残量注意は、車両の走行性にとって重要な情報である。このように、車両の走行にとって重要な情報に対しては、優先順位として最高の「１」が対応付けられる。
【００６９】
一方、走行系情報の中で、例えば、現在車両に設定されている走行モードを示す情報は、水温上昇注意やガソリン残量注意ほど重要性が高くない。このため、図４に示す例では、走行モードに対して優先順位として「１」よりも低い「２」が対応付けられる。
【００７０】
このように、優先順位情報１２ａでは、エンタメ系情報および走行系情報毎に、表示要求される各情報に対して、安全性、利便性、走行性の面で重要な情報ほど高い優先順位が対応付けられる。なお、図４では、優先順位として「１」と「２」を示したが、表示要求される情報の重要性によって「２」よりもさらに低い優先順位が対応付けられる情報もある。
【００７１】
本実施形態に係る車載表示システム１では、かかる優先順位情報１２ａを用い、現状で表示要求されている情報の中で、相対的な優先順位が最高（第１位）の情報をサブディスプレイへ表示させ、相対的な優先順位が第２位の情報をメインディスプレイ５１へ表示させる。
【００７２】
そして、車載表示システム１では、現状で表示要求されている情報の中で、相対的な優先順位が第３位以下の情報については、表示させずに保留タスク情報として記憶させておき、表示中の情報に関する割込表示が解除された場合に表示させる。
【００７３】
例えば、車載表示システム１では、サブディスプレイに表示中の情報よりも優先順位が高い情報が割込表示要求された場合、割込表示要求された情報をサブディスプレイへ表示させる。そして、それまでサブディスプレイに表示されていた情報は、メインディスプレイ５１へ表示させ、それまでメインディスプレイ５１へ表示されていた情報は、保留タスク情報として記憶しておく。
【００７４】
なお、メインディスプレイ５１が複数の情報を同時に表示可能な場合、車載表示システム１では、サブディスプレイに表示中の情報よりも優先順位が低い情報のうち、表示可能な数の情報をメインディスプレイ５１へ同時に表示させ、メインディスプレイ５１で表示できない情報を保留タスク情報として記憶させておく。
【００７５】
また、保留タスク情報については、メインディスプレイ５１にアイコン形式（情報の種別が分かる程度の図形）で表示しておき、当該アイコンを選択操作することによりメインディスプレイ５１に対応する表示を復帰させるようにすれば（メインディスプレイ５１に表示されていた情報は保留タスク情報とする）、より便利なものとなる。
【００７６】
そして、車載表示システム１では、例えば、サブディスプレイで表示中の情報に関する割込表示が解除された場合、メインディスプレイ５１に表示中の情報をサブディスプレイへ表示させ、保留タスク情報のうち優先順位が最高の情報をメインディスプレイ５１へ表示せる。なお、車載表示システム１では、メインディスプレイ５１で表示中の情報に関する割込表示が解除された場合にも、保留タスク情報のうち優先順位が最高の情報をメインディスプレイ５１へ表示せる。
【００７７】
また、表示中情報１２ｂは、図５に示すように、左サブディスプレイ５２、右サブディスプレイ５３、メインディスプレイ５１によって表示中の情報を示す情報である。また、表示中情報１２ｂには、保留タスク情報が含まれる。
【００７８】
ここでの保留タスク情報とは、例えば、右サブディスプレイ５３によって情報を割込表示させた際、それまで、いずれかのサブディスプレイによって表示されていた情報の内、当該割り込み表示に伴ってどのディスプレイでも表示されなくなった情報、つまり、一時的に表示が保留された情報である。
【００７９】
なお、表示保留状態となる表示は同時に複数存在する場合があるので、複数個記憶できるように構成され、また表示復帰の判断条件として保留時刻（優先順位が等しい場合、保留時刻が後の方が優先的に復帰）が記憶される。
【００８０】
そして、ＨＭＩ系制御部１０の表示切替部１１ｂは、走行系制御部２０やエンタメ系制御部３０から表示要求が入力された場合に、表示要求された情報の優先順位を優先順位情報１２ａに基づいて判定する。
【００８１】
続いて、表示切替部１１ｂは、表示要求された走行系情報のうち、優先順位が最高の走行系情報を右サブディスプレイ５３によって表示させる指示を表示処理部４０へ出力する。また、表示切替部１１ｂは、エンタメ系情報のうち、優先順位が最高のエンタメ系情報を左サブディスプレイ５２によって表示させる指示を表示処理部４０へ出力する。
【００８２】
なお、カメラ画像は、エンタメ系制御部３０から表示要求されるエンタメ系情報であるが、車両のウインカの動作状態によって右サブディスプレイ５３によって表示されることがある。具体的には、表示切替部１１ｂは、ウインカが作動中の場合、ウインカが指す方向に対応する方のサブディスプレイ（左サブディスプレイ５２または右サブディスプレイ５３）にカメラ画像を表示させる。
【００８３】
以下、図６および図７を参照し、表示切替部１１ｂによる表示の切替態様の一例について説明する。図６および図７は、実施形態に係る表示切替部１１ｂによる表示の切替態様の一例を示す説明図である。なお、図６および図７では、表示内容を明確に示す観点から車両におけるハンドルの図示を省略した。
【００８４】
図６の上段に示すように、表示切替部１１ｂは、表示要求されたエンタメ系情報のうち、再生トラック番号の優先順位が最高であった場合、再生トラック番号を左サブディスプレイ５２によって表示させる。また、表示切替部１１ｂは、表示要求された走行系情報のうち、走行モードの優先順位が最高であった場合、走行モードを右サブディスプレイ５３によって表示させる。
【００８５】
これにより、車載表示システム１では、運転者へ提供される情報が多様化した場合であっても、運転者へ提供すべき優先順位が最高の情報を左サブディスプレイ５２や右サブディスプレイ５３によって運転者へ分かりやすく提供することができる。
【００８６】
なお、このとき、表示切替部１１ｂは、例えば、再生トラック番号よりも優先順位の低いナビゲーション部４１による経路案内地図の表示要求が入力されている場合、経路案内地図をメインディスプレイ５１によって表示させる。
【００８７】
また、表示切替部１１ｂは、サブディスプレイで表示中の情報よりもさらに優先順位が高い情報の割込表示要求があった場合、サブディスプレイで表示中の情報をメインディスプレイ５１へ表示させ、割込表示要求された情報をサブディスプレイへ表示させる。
【００８８】
一方、サブディスプレイで表示中の情報よりも優先順位が低い情報の割込表示要求があった場合、割込表示要求された情報の優先順位がメインディスプレイ５１で表示中の情報の優先順位よりも高ければ、割込表示要求された情報をメインディスプレイ５１へ表示させる。
【００８９】
かかる場合、それまでメインディスプレイ５１に表示されていた情報は、保留タスク情報として記憶される。なお、割込表示要求された情報の優先順位がメインディスプレイ５１で表示中の情報の優先順位よりも低ければ、割込表示要求された情報が保留タスク情報として記憶される。
【００９０】
また、表示切替部１１ｂは、サブ表示部である左サブディスプレイ５２または右サブディスプレイ５３に表示中の情報と優先順位が等しい情報が表示要求された場合、表示中の情報の表示先をサブ表示部からメイン表示部であるメインディスプレイ５１へ変更する。そして、表示切替部１１ｂは、直近に表示要求された優先順位が最高の情報をサブ表示部によって表示させる。
【００９１】
これにより、車載表示システム１は、サブ表示部に表示中の情報と優先順位が等しい情報が表示要求された場合に、まだ表示されていない直近に表示要求された方の情報をサブ表示部へ割込表示させるので重要な情報の表示漏れを防止することができる。
【００９２】
また、右サブディスプレイ５３は、車両の走行に関する情報を出力する車載装置から表示要求される情報を表示する第１の表示部として機能する。また、左サブディスプレイ５２は、車両の走行に関する情報を出力する車載装置以外の車載装置から表示要求される情報を表示する第２の表示部として機能する。
【００９３】
このように、車載表示システム１では、走行系情報用の第１の表示部と、エンタメ系情報用の第２の表示部とが個別に設けられるので、情報が表示される表示部の位置によって表示された情報がエンタメ系か走行系かを運転者へ容易に認識させることができる。
【００９４】
また、車載表示システム１では、メイン表示部であるメインディスプレイ５１がサブ表示部である左サブディスプレイ５２および右サブディスプレイ５３よりも車両の助手席側に設けられる。さらに、第２の表示部である左サブディスプレイ５２が第１の表示部である右サブディスプレイ５３よりもメインディスプレイ５１に近い位置に設けられる。
【００９５】
これにより、車載表示システム１では、エンタメ系情報のように助手席の同乗者と共有する情報を右サブディスプレイ５３よりも助手席に近い側の左サブディスプレイ５２に表示させることができる。したがって、車載表示システム１によれば、インストルメントパネル内で助手席に近い側の左サブディスプレイ５２に表示させた情報が、同乗者と共有するエンタメ系情報であることを運転中であっても運転者へ直感的に認識させることができる。
【００９６】
また、車載表示システム１では、走行系情報のように同乗者よりも運転者へ提供すべき情報を左サブディスプレイ５２よりも助手席から遠い側の右サブディスプレイ５３に表示させることができる。したがって、車載表示システム１によれば、インストルメントパネル内で助手席から遠い側の右サブディスプレイ５３に表示させた情報が、同乗者よりも運転者へ提供すべき走行系情報であることを運転中であっても運転者へ直感的に認識させることができる。
【００９７】
かかる表示を行わせている場合に、車両が交差点へ近付くと、ナビゲーション部４１は、表示切替部１１ｂへ向けて交差点拡大図の表示要求を出力する。そして、表示切替部１１ｂは、交差点拡大図の表示要求が入力されると、優先順位情報１２ａに基づいて交差点拡大図の優先順位を判別する。
【００９８】
ここで、交差点拡大図は、エンタメ系情報であり、左サブディスプレイ５２で表示中のトラック番号よりも優先順位が高い情報である（図４参照）。このため、表示切替部１１ｂは、図６の下段に示すように、交差点拡大図を左サブディスプレイ５２へ割込表示させる。
【００９９】
また、ここでは、ユーザにより再生トラック番号の優先順位が「２」と設定されており、再生トラック番号の方がメインディスプレイ５１で表示中の経路案内地図よりも優先順位が高い。このため、表示切替部１１ｂは、割込表示が行われる前に左サブディスプレイ５２に表示されていた再生トラック番号をメインディスプレイ５１に割込表示させる。そして、表示切替部１１ｂは、割込表示が行われる前にメインディスプレイ５１に表示されていた経路案内地図を保留タスク情報（図５参照）として記憶部１２へ記憶させる。
【０１００】
なお、この際、経路案内地図表示のアイコンをメインディスプレイ５１に表示し、当該アイコンの選択操作により経路案内地図の表示を復帰させるようにする。この表示復帰に伴い、再生トラック番号の画面については、対応のアイコンがメインディスプレイ５１に表示される。
【０１０１】
その後、表示切替部１１ｂは、左サブディスプレイ５２による割込表示が終了した場合、メインディスプレイ５１へ変更した再生トラック番号の表示先を、メインディスプレイ５１から左サブディスプレイ５２へ戻す。
【０１０２】
このように、表示切替部１１ｂは、サブ表示部である左サブディスプレイ５２によって表示中の情報よりも優先順位の高い情報が表示要求された場合、表示中の情報の表示先を左サブディスプレイ５２からメイン表示部であるメインディスプレイ５１へ変更する。
【０１０３】
これにより、車載表示システム１では、運転者へ提供される情報が多様化しても、優先順位が最高の情報が新たに表示要求された場合に、左サブディスプレイ５２または右サブディスプレイ５３へ割込表示させて運転者へ分かりやすく提供することができる。
【０１０４】
なお、メインディスプレイ５１が複数の情報を同時に表示可能な構成である場合、現状で表示要求されている情報で、サブディスプレイに表示されていない情報うち、メインディスプレイ５１で表示可能な数の情報をメインディスプレイ５１へ表示させる。かかる場合、メインディスプレイ５１で表示できなかった他の情報については、情報に対応したアイコンをメインディスプレイ５１の表示へ重畳表示させてもよい。
【０１０５】
また、表示切替部１１ｂは、サブ表示部である左サブディスプレイ５２による情報の表示が終了した場合、表示先をメイン表示部であるメインディスプレイ５１へ変更された情報の表示先をメインディスプレイ５１から左サブディスプレイ５２へ変更する。
【０１０６】
これにより、車載表示システム１では、サブ表示部による割込表示が終了したことで優先順位が最高となった情報を再度、サブ表示部によって表示させることで、運転者へ提供される情報が多様化しても運転者へ分かりやすく情報提供を行うことができる。
【０１０７】
また、車載表示システム１では、左サブディスプレイ５２または右サブディスプレイ５３によって割込表示を行わせる場合、図６の下段に示すように、割込表示を行うディスプレイ（ここでは、左サブディスプレイ５２）の表示を強調させるように構成してもよい。
【０１０８】
かかる構成とする場合、例えば、左サブディスプレイ５２および右サブディスプレイ５３の表示領域を囲むようにＬＥＤ（Light  Emitting  Diode）が配設される。そして、表示切替部１１ｂは、割込表示を行わせる場合に、ＬＥＤを点灯させて表示を強調させる。
【０１０９】
かかる構成によれば、運転に役立つ情報や重要な情報の提供が必要な事象が発生した場合に、かかる運転に役立つ情報や重要な情報をより分かりやすく運転者へ提供することができる。なお、割込表示を強調する手段は、ＬＥＤに限定するものではない。例えば、割込表示を行う方のディスプレイによる表示輝度を他のディスプレイよりも高めてもよい。また、音声によって割込表示が行われたことを運転者へ報知してもよい。
【０１１０】
また、表示切替部１１ｂは、車両のウインカが操作された場合、ウインカの指す方のサブディスプレイ（左サブディスプレイ５２または右サブディスプレイ５３）によってカメラ画像を割込み表示させる。
【０１１１】
例えば、図７の上段に示すように、車両が交差点に近付き、左サブディスプレイ５２に交差点拡大図が表示され、右サブディスプレイ５３に走行モードが表示されている状態で、図７の下段に示すように、ウインカが操作されてウインカが右方向を指したとする。
【０１１２】
かかる場合、表示切替部１１ｂは、図７の下段に示すように、ウインカが指す右方向に対応する右サブディスプレイ５３へ車両の右前方が撮像された右前方カメラ画像を割込表示させる。なお、ウインカが左方向を指した場合、表示切替部１１ｂは、左サブディスプレイ５２へ車両の左前方が撮像された左前方カメラ画像を表示させる。
【０１１３】
これにより、運転者は、車両を右左折させる場合に、車両がこれから進行する方向から視線を大きく逸らすことなく、車両の進行先が撮像された車両周辺のカメラ画像を視認することができる。
【０１１４】
なお、ウインカの作動中における表示態様は、これに限定するものではない。例えば、車両が右左折する場合と、車両が車線変更する場合とでカメラ７４によって撮像された画像の合成処理を切替えるように車載表示システム１を構成してもよい。かかる構成とした場合、車載表示システム１は、車線変更のために操作されたウインカが指す方向に対応した車両後方の周辺画像をウインカの指す方向に対応した方のサブディスプレイに表示させる。これにより、運転者は、車線変更の際、バックミラーでは確認が困難な後続車を容易に確認することができる。
【０１１５】
なお、右左折と車線変更の判別は、ナビゲーション装置で探索した経路と自車位置との関係（右左折する交差点からの距離により判断）や、ナビゲーション装置から得られる交差点迄の距離、速度、車線情報により推測することが可能である。
【０１１６】
また、表示切替部１１ｂは、ウインカの作動中に、カメラ画像を表示させない方のサブディスプレイに対して表示規制を行う。例えば、表示切替部１１ｂは、図７の下段に示すように、カメラ画像を表示させない方の左サブディスプレイ５２に一面黒の画像を表示させることによって表示規制を行う。
【０１１７】
これにより、車載表示システム１では、車両が右左折する場合に、運転者がカメラ画像を表示しない方のサブディスプレイ（ここでは、左サブディスプレイ５２）に視線を奪われることを防止することができる。
【０１１８】
なお、表示規制されて表示されなくなった情報は、メインディスプレイ５１に表示中の情報よりも優先順位が高い場合、表示切替部１１ｂによって表示先がメインディスプレイ５１へ変更される。また、メインディスプレイ５１に表示中の情報よりも優先順位が低い場合、表示規制されて表示されなくなった情報は、表示切替部１１ｂによって保留タスク情報（図５参照）として記憶部１２へ記憶される。
【０１１９】
次に、図８、図９、図１０を参照し、ＨＭＩ系制御部１０が実行する処理について説明する。図８、図９、図１０は、実施形態に係るＨＭＩ系制御部１０が実行する処理を示すフローチャートである。
【０１２０】
ＨＭＩ系制御部１０は、電源が投入されている間、図８に示す処理を所定周期で繰り返し実行する。具体的には、ＨＭＩ系制御部１０は、まず、新規の表示要求があるか否かを判定し（ステップＳ１０１）、新規の表示要求がないと判定した場合（ステップＳ１０１，Ｎｏ）、処理を終了する。
【０１２１】
一方、ＨＭＩ系制御部１０は、新規の表示要求があると判定した場合（ステップＳ１０１，Ｙｅｓ）、表示要求が走行系であるか否かを判定する（ステップＳ１０２）。
【０１２２】
そして、ＨＭＩ系制御部１０は、走行系であると判定した場合（ステップＳ１０２，Ｙｅｓ）、表示要求された情報の走行系情報における優先順位を判別する走行系優先順位判別を行う（ステップＳ１０３）。続いて、ＨＭＩ系制御部１０は、表示要求された走行系情報のうち優先順位最高の情報を右サブディスプレイ５３へ表示させ（ステップＳ１０４）、処理をステップＳ１０７へ移す。
【０１２３】
また、ＨＭＩ系制御部１０は、表示要求が走行系でないと判定した場合（ステップＳ１０２，Ｎｏ）、表示要求された情報のエンタメ系情報における優先順位を判別するエンタメ系優先順位判別を行う（ステップＳ１０５）。続いて、ＨＭＩ系制御部１０は、表示要求されたエンタメ系情報のうち優先順位最高の情報を左サブディスプレイ５２へ表示させ（ステップＳ１０６）、処理をステップＳ１０７へ移す。
【０１２４】
なお、ＨＭＩ系制御部１０は、左サブディスプレイ５２または右サブディスプレイ５３に情報を表示させる場合、車速センサ２６により検出された車速が「０」且つＰブレーキ２５が作動中でない場合、所定の情報の表示を規制する。
【０１２５】
例えば、ＨＭＩ系制御部１０は、ディスクプレーヤ部４２によって再生される動画や、ＤＴＶ部４３によって受信されるテレビ映像、走行系車載装置２２によって取得された車両の動作履歴等、運転者へ提供する情報量が比較的多い情報に対して表示規制を行う。
【０１２６】
また、ＨＭＩ系制御部１０は、ステップＳ１０７において、優先順位が最高の情報以外の情報をメインディスプレイ５１へ表示させる。その後、ＨＭＩ系制御部１０は、メインディスプレイ５１、左サブディスプレイ５２、右サブディスプレイ５３に表示させた情報に関する音声報知を行い（ステップＳ１０８）、処理を終了する。
【０１２７】
なお、本実施形態の車載表示システム１では、デフォルト画像が設定されており、かかるデフォルト画像は常時表示要求の状態となっている。このため、ＨＭＩ系制御部１０は、割込みの表示要求が一つもない場合、デフォルト画像（例えば、オーディオやエアコンの動作モードや、走行モードなど）をメインディスプレイ５１およびサブディスプレイへ表示させる。
【０１２８】
例えば、ＨＭＩ系制御部１０は、表示要求がない場合、右サブディスプレイ５３へ燃料の残量や、どれだけ省燃費運転を行ったかを示すエコ表示を行わせ、左サブディスプレイ５２へオーディオやエアコンに関する表示を行わせる。さらに、かかる場合、ＨＭＩ系制御部１０は、メインディスプレイ５１へ車両の走行位置を示す地図を表示させる。このような画像（表示状態）が、デフォルト画像（デフォルト表示状態）として設定されている。
【０１２９】
また、ＨＭＩ系制御部１０は、図８に示す処理と並行して、図９に示す処理を所定周期で繰り返し実行する。具体的には、ＨＭＩ系制御部１０は、保留タスク情報（図５参照）があるか否かを判定する（ステップＳ２０１）。そして、ＨＭＩ系制御部１０は、保留タスク情報がないと判定した場合（ステップＳ２０１，Ｎｏ）、処理を終了する。
【０１３０】
一方、ＨＭＩ系制御部１０は、保留タスク情報があると判定した場合（ステップＳ２０１，Ｙｅｓ）、割込表示の解除が有ったか否かを判定する（ステップＳ２０２）。そして、ＨＭＩ系制御部１０は、割込表示の解除がないと判定した場合（ステップＳ２０２，Ｎｏ）、処理を終了する。
【０１３１】
一方、ＨＭＩ系制御部１０は、割込表示の解除があったと判定した場合（ステップＳ２０２，Ｙｅｓ）、現状で表示要求されている各情報の優先順位を判別し（ステップＳ２０３）、表示先の割り振りを行う（ステップＳ２０４）。
【０１３２】
ここで、ＨＭＩ系制御部１０は、現状で表示要求されている各情報のうち、優先順位が最高（第１位）の情報がエンタメ形状である場合、情報の表示先を左サブディスプレイ５２へ割り振る。一方、優先順位が最高の情報が走行系情報の場合、情報の表示先を右サブディスプレイ５３へ割り振る。
【０１３３】
これにより、例えば、サブディスプレイに表示中の情報が表示解除された場合、メインディスプレイ５１に表示されていた情報がサブディスプレイへ表示されることになる。さらに、保留タスク情報として記憶されていた情報のうち、優先順位が最高の情報がメインディスプレイ５１へ表示されることになる。
【０１３４】
つまり、ＨＭＩ系制御部１０は、表示要求されている情報のうち、優先順位が最高のエンタメ系情報を左サブディスプレイ５２へ、優先順位が最高の走行へ情報を右サブディスプレイ５３へ表示させる。
【０１３５】
さらに、ＨＭＩ系制御部１０は、表示要求されている残りの情報については、エンタメ系および走行系を問わず、表示可能な数だけメインディスプレイ５１へ表示させ、メインディスプレイ５１へ表示できなかった情報については、保留タスク情報として記憶させておく。そして、ＨＭＩ系制御部１０は、ステップＳ２０４で表示割り振りを行った後、表示させた保留タスク情報に関する音声報知を行い（ステップＳ３０５）、処理を終了する。
【０１３６】
また、ＨＭＩ系制御部１０は、図８および図９に示す処理と並行して、図１０に示す処理を所定周期で繰り返し実行する。具体的には、ＨＭＩ系制御部１０は、ウインカが作動中か否かを判定する（ステップＳ３０１）。そして、ＨＭＩ系制御部１０は、ウインカが作動中でないと判定した場合（ステップＳ３０１，Ｎｏ）、処理を終了する。
【０１３７】
一方、ＨＭＩ系制御部１０は、ウインカが作動中であると判定した場合（ステップＳ３０１，Ｙｅｓ）、ウインカの指す方向が右折方向か否かを判定する（ステップＳ３０２）。そして、ＨＭＩ系制御部１０は、右折方向であると判定した場合（ステップＳ３０２，Ｙｅｓ）、右サブディスプレイ５３へ車両の右前方が撮像された右前方カメラ画像を表示させる（ステップＳ３０３）。続いて、ＨＭＩ系制御部１０は、左サブディスプレイ５２に対して表示規制を行い（ステップＳ３０４）、処理を終了する。
【０１３８】
また、ＨＭＩ系制御部１０は、ウインカの指す方向が右折方向でないと判定した場合（ステップＳ３０２，Ｎｏ）、左サブディスプレイ５２へ車両の左前方が撮像された左前方カメラ画像を表示させる（ステップＳ３０５）。続いて、ＨＭＩ系制御部１０は、右サブディスプレイ５３に対して表示規制を行い（ステップＳ３０６）、処理を終了する。
【０１３９】
なお、上記した実施形態に記載したサブディスプレイの配置は一例であり、これに限定するものではない。例えば、インストルメントパネル内でスピードメータおよびタコメータの左右いずれか一方に、左サブディスプレイ５２および右サブディスプレイ５３を並べて配置してもよい。かかる場合、左サブディスプレイ５２は、右サブディスプレイ５３よりもメインディスプレイ５１に近い位置へ配置される。
【０１４０】
また、上記した実施形態では、ウインカの作動中に、カメラ画像を表示しない方のサブディスプレイに対して表示規制を行ったが、カメラ画像を表示しない方のサブディスプレイの表示態様は、これに限定するものではない。ここで、図１１を参照し、カメラ画像を表示しない方のサブディスプレイの表示態様に関する変形例について説明する。
【０１４１】
図１１は、実施形態の変形例に係る表示態様の一例を示す説明図である。図１１の上段に示すように、左サブディスプレイ５２に交差点拡大図を表示させ、右サブディスプレイ５３に走行モードを表示させた状態で、図１１の下段に示すように、ウインカが操作され、ウインカが左折方向を指したとする。
【０１４２】
かかる場合、左サブディスプレイ５２に左前方カメラ画像を表示させ、右サブディスプレイ５３に、それまで左サブディスプレイ５２に表示されていた交差点拡大図を表示させるように車載表示システム１を構成してもよい。
【０１４３】
なお、このような動作は、ウインカ操作に基づくカメラ画像表示時における各画像の優先順位（走行系／エンタメ系の区別無く）を記憶しておき、ウインカ操作時に表示要求状態にある画像の内、最高の優先順位の画像をカメラ画像が表示されたサブディスプレイと反対側のサブディスプレイに表示するようにする方法等により実現できる。
【０１４４】
かかる構成によれば、ウインカの作動中であっても、表示要求されているエンタメ系情報のうち優先順位が最高の情報（ここでは、交差点拡大図）をインストルメントパネル内で運転者へ分かりやすく表示させることができる。
【０１４５】
また、メインディスプレイ５１、左サブディスプレイ５２、右サブディスプレイ５３の構成は、図１に示すものに限定するものではない。ここで、図１２を参照し、メインディスプレイ５１、左サブディスプレイ５２、右サブディスプレイ５３の構成に関する変形例について説明する。図１２は、変形例に係るディスプレイ５０の構成を示す説明図である。
【０１４６】
図１２に示すように、変形例に係るディスプレイ５０は、ダッシュボードにおける運転者および助手席の同乗者に面する略全領域を表示領域とする表示装置によって構成される。かかる構成とする場合、運転者から正面中央に見える表示領域をメータ領域５４とする。かかるメータ領域５４には、スピードメータやタコメータ、ウインカの指す方向を示すシグナルランプ等を表示させる。
【０１４７】
また、運転者から見てメータ領域５４の右側の表示領域を右サブディスプレイ５３ａとして機能させ、運転者から見てメータ領域５４の左側の表示領域を左サブディスプレイ５２ａとして機能させる。さらに、左サブディスプレイ５２ａよりも助手席に近く、ダッシュボードの中央における表示領域をメインディスプレイ５１ａとして機能させる。
【０１４８】
このように、本変形例では、一台のディスプレイ５０における表示領域を複数に分割して、それぞれメインディスプレイ５１ａ、左サブディスプレイ５２ａ、右サブディスプレイ５３ａとして機能させる。これにより、ディスプレイ５０は、メインディスプレイ５１ａ、左サブディスプレイ５２ａ、右サブディスプレイ５３ａに対して個別に配線を取り回す必要がないため、車両への取り付け作業を容易に行うことができる。
【０１４９】
また、上記した実施形態では、メインディスプレイ５１が１種類の情報を表示可能な表示装置の場合について説明したが、メインディスプレイ５１は、複数種類の情報を同時に表示可能な表示装置であってもよい。
【０１５０】
かかる場合、車載表示システム１は、表示要求された複数の情報のうち優先順位が最高（１位）の情報をサブディスプレイによって表示させ、優先順位が２位以下の情報のうちメインディスプレイ５１が表示可能な数の情報をメインディスプレイ５１へ表示させる。そして、車載表示システム１は、メインディスプレイ５１によって表示できなかった情報を保留タスク情報として記憶部１２へ記憶させる。
【０１５１】
また、上記した実施形態では、ウインカの作動中に、ウインカの指す方向に対応する車両周辺のカメラ画像をサブディスプレイへ割込表示させたが、ウインカの作動中にサブディスプレイへ割込表示させる情報は、カメラ画像に限定するものではない。
【０１５２】
例えば、車載表示システムに車両周辺の歩行者や他車両等の走行の障害となる物体を検知するレーダを設け、ウインカが操作された場合に、レーダの検知結果に基づいてウインカが指す方向に対応する車両周辺の情報をサブディスプレイへ割込表示させてもよい。
【０１５３】
かかる場合、車載表示システムは、ウインカが操作された場合に、例えば、自車両と走行車線と障害物とを模式的に示した鳥瞰図を生成し、作動中のウインカが指す方向に対応する方のサブディスプレイへ割込表示させる。かかる構成によっても、車載表示システムは、運転に役立つ情報を分かりやすく運転者へ提供することができる。
【０１５４】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１５５】
１  車載表示システム
１０  ＨＭＩ系制御部
１１  制御部
１１ａ  操作対象判別部
１１ｂ  表示切替部
１２  記憶部
１２ａ  優先順位情報
１２ｂ  表示中情報
２０  走行系制御部
２１  艤装系車載装置
２２  走行系車載装置
２３  エアコン制御部
２４  エアコン駆動部
２５  Ｐブレーキ
２６  車速センサ
３０  エンタメ系制御部
３１  画像処理部
３２  音声処理部
３３  アンプ
３４  スピーカ
４０  表示処理部
４１  ナビゲーション部
４２  ディスクプレーヤ部
４３  ＤＴＶ部
４４  携帯機接続制御部
５０  ディスプレイ
５１、５１ａ  メインディスプレイ
５２、５２ａ  左サブディスプレイ
５３、５３ａ  右サブディスプレイ
５４  メータ領域
６１  スイッチ
６２  タッチパネル
７１  ＥＴＣ
７２  ＧＰＳ
７３  カメラ画像処理部
７４  カメラ
７５  無線通信部
８０  スマートホン
【図１】
0005881398.tif 000002
【図２】
0005881398.tif 000003
【図３】
0005881398.tif 000004
【図４】
0005881398.tif 000005
【図５】
0005881398.tif 000006
【図６】
0005881398.tif 000007
【図７】
0005881398.tif 000008
【図８】
0005881398.tif 000009
【図９】
0005881398.tif 000010
【図１０】
0005881398.tif 000011
【図１１】
0005881398.tif 000012
【図１２】
0005881398.tif 000013